(57)【要約】      （修正有）【課題】極小折り畳み式ナイフにおいて刀身を開閉するとき、バネの作用部が側板と触れることの無いように形成し、バネと背金との間に空間を設けることによって背金とバネと刀身がスムーズな動きができるようにした極小折り畳み式ナイフのバネを提供すること。【解決手段】極小の折り畳み式ナイフにおいて背金の先端の係合凸部１３が刀身１の基端部１１の凹部１２に付勢するように押圧するバネ２を、刀身の板厚より薄い材料を使用し、バネの作用部３の巾を固定部４の巾より狭く形成することにより、バネの作用部が側板に触れることなくスムーズに周動でき、さらにバネの作用部を曲げることにより、背金８とバネとの間に背金とバネと刀身がスムーズに作動するために必要な空間を形成する。【選択図】図６
2005111220.tif 000002
【特許請求の範囲】
【請求項１】
柄の前端部に刀身を開位置と閉位置の間で開閉するようにし、背金先端に係合凸部を設け、刀身の基端部には前記係合凸部と係合する係合凹部を設け、刀身が開位置の時及び閉位置の時ロックすることの出来るようにした極小折り畳み式ナイフにおいて、背金先端の係合凸部が刀身の基端部の係合凹部に付勢するように押圧するバネを設け、バネの板厚を刀身の板厚より薄い材料を使用し、バネの作用部の巾をバネの固定部の巾より狭く形成し、作用部先端を曲げたことを特徴とする極小折り畳み式ナイフのバネ
【発明の詳細な説明】
【発明の詳細な説明】
【技術分野】
【０００１】  この発明は、極小折り畳み式ナイフに関するものである。
【背景技術】
【０００２】  まずは、従来
【図１】
のような極小折り畳み式ナイフを製造することは大変難しい技術で行われていなかった。従来柄の前端部に刀身を開位置と閉位置の間で開閉するようにし、背金先端に係合凸部を設け、刀身の基端部には前記係合凸部と係合する係合凹部を設け、刀身が開位置の時及び閉位置の時ロックすることの出来るようにした折り畳み式ナイフにおいて背金先端の係合凸部が刃部の基端部の凹部に付勢するように押圧するバネが使用されている。そのバネは、例えば
【図７】
のように、刀身１が  開閉の時スムースに動くように、刀身１の板厚Ｃより厚い材料をプレスで型抜きして作られていた。その場合、作用部３を固定部５と一体に型抜きされている。また特許文献１のように背金とバネ部を一体にして作られていた。それらのバネ２は、側板１０、１０′で側面から挟み込んで組み付けられている為に、バネが側板１０、１０′と触れ合うことになり、特に周動する作用部３では摩擦が起きスムーズな動きができなくなることが多かった。そこで作用部３を固定部４より薄くするために別の加工を行い動きをスムーズにする必要があった。その為に加工賃が高くなった。
従来、バネ２をプレスで型抜きする場合、材料を型抜き加工で可能なバネの巾Ｅは、材料の板厚と同じかそれ以上に厚い事が必要である。また、バネ２を固定する為の穴１６も同様に型抜き加工で可能な穴の直径は、板厚と同じかそれ以上の大きさが必要であった。更に刀身を開閉するとき、バネ２を背金８に押圧し作動させスムーズに動かす為に背金８とバネ２との間に空間ａを確保する必要があるが、従来の方法ではバネ２の作用部３の巾Ｅが広くなり、この空間ａを確保することができなかった。
以上の点から、従来のバネでは、極小折り畳み式ナイフの刀身を開閉させることは不可能であった。
【特許文献１】特開平８−１４１２２３号公報
【発明の開示】
【発明が解決しようとする課題】
【０００３】  この発明は、柄の前端部に刀身を開位置と閉位置の間で開閉するようにし、背金先端に係合凸部を設け、刀身の基端部には前記係合凸部と係合する係合凹部を設け、刀身が開位置の時及び閉位置の時ロックすることの出来るようにした極小折り畳み式ナイフにおいて刀身を開閉するとき、バネの作用部が側板と触れることの無いように形成し、バネと背金との間に空間を設けることによって背金とバネと刀身がスムーズな動きのできるようにした極小折り畳み式ナイフのバネを提供すること。
【課題を解決するための手段】
【０００４】  上記課題を達成するために、背金の先端の係合凸部が刀身の基端部の凹部に付勢するように押圧するバネを、刀身の板厚より薄い材料を使用し、バネの作用部の巾を固定部の巾より狭く形成することにより、バネの作用部が側板に触れることなくスムーズに周動でき、さらにバネの作用部を曲げることにより、背金とバネとの間に背金とバネと刀身がスムーズに作動するために必要な空間を形成することで解決する。
【発明の効果】
【０００５】  本発明は、前記のように構成され、背金の先端の係合凸部が刀身の基端部の凹部に付勢するように押圧するバネの板厚を刃部の板厚より薄くし、作用部の巾を固定部の巾より狭く形成し、さらにバネの作用部を曲げることにより背金とバネが接することなく動かせる空間が確実に確保され、刀身の開閉を容易にできるようになった。また、バネが薄くなることにより軽量化でき、刀身の長さを最大限大きくすることができ、さらに、加工工程が少なく加工費を削減できる。上記のように従来できなかった極小の折り畳み式ナイフの製作を可能にするバネを提供できるという効果がある。
【発明を実施するための最良の形態・実施例】
【０００６】  図１は、本発明のバネ２を使用した実物大の極小折り畳み式ナイフの例であり、刀身１を開けた状態で全長約５ｃｍのナイフである。特にこのようなの極小折り畳み式ナイフに有効な発明である。
【０００７】図２に示すように、刀身１を開位置と閉位置の間で開閉するようにし、背金先端に係合凸部１２を設け、刀身の基端部１１には、前記係合凸部１２と係合する係合凹部１３を設け、刀身１が開位置の時及び閉位置の時ロックすることの出来るようにした折り畳みナイフにおいてバネ２の固定部４を固定鋲５で固定し、支点部６を支え鋲７で支え、さらにバネの作用部３の先端を曲げた状態で背金８に付勢し、刀身１を基端部１１を固定鋲９で固定し、開閉できるようにしている。
【０００８】図３は、図２を下面から見た図でバネ２と刀身１は、側板１０、１０′で挟むように固定されている。
【０００９】図４は、本発明のバネ２の図で固定部４の巾Ｂは、刀身１の板厚Ｃより巾広く形成され、作用部３の巾Ａは、固定部４の巾Ｂより狭く形成されている。図５はバネを横から見た図面で刀身１の板厚Ｃより薄い板厚Ｄの板状の材料を使用している。板状のバネ２の固定部４は、固定鋲５が入るように丸く形成されている。作用部３は、曲げて形成し背金２とバネ３が余裕をもって動くような空間ａを構成している。
【００１０】図６は、折り畳み式ナイフを、刀身１が動かないようにロックしている刀身１の基端部１１の係合凹部１２と背金８の係合凸部１３を、折り畳み式ナイフの柄の凹部１４から背金８を押して開放し刀身１を少し回した状態である。この時バネ２は、支点鋲７で支えられ、背金８により押されバネ２が湾曲することになる。背金８がバネ２の方向へ押し込まれる時、刀身１の基端部１１の係合凹部１２と背金８の係合凸部１３が開放されるために、背金８とバネ２の間に空間ａが必要であるが、本発明は、作用部３を曲げることにより背金８とバネ２が接することのない空間ａが確実に確保されている。さらに、本発明は、固定部４の巾Ｂは、刀身１の板厚Ｃより広く形成し、作用部３の巾Ａが固定部４の巾Ｂより狭く形成されているために側板１０、１０′に触れることなくスムーズに動くものである。例えば、刀身１の板厚１．５ミリの場合、固定部の巾Ｂを１．７ミリ、作用部３の巾Ａを１．５ミリとし、バネ２の板厚Ｄを刀身１の板厚Ｃより薄い材料を使用することが可能であり、プレス型で一度に加工することができるもので、研磨や切断などの加工が不要となりコストダウンが可能となる。
【００１１】  図７は、柄の前端部に刀身１を開位置と閉位置の間で開閉するようにし、背金８先端に係合凸部１３を設け、刀身の基端部１１には、前記係合凸部１３と係合する係合凹部１２を設け、刀身が開位置の時及び閉位置の時ロックすることの出来るようにした折り畳みナイフにおいて、従来の折り畳み式ナイフのバネの構造を示し、バネ２の固定部４を固定鋲５で固定しバネ２の作用部３の先端が背金８に作用し刃部１を固定している。刀身１の開閉の状態を示す。
【００１２】図８は、図７を底面から見た図でバネ２と刀身１は側板１０、１０′で挟むように固定されている。
【００１３】図９は、図７の折り畳み式ナイフのバネ２の図面である。固定部４の板厚は、刀身１がスムースに周動するために、刀身１の板厚Ｃ以上の厚みが必要である。作用部３の板厚Ｆは固定部４の板厚より薄く形成されている。例えば刀身１の板厚Ｃが１．５ミリの場合、バネ２の固定部の板厚Ｇは１．７ミリの材料を使用することになる。作用部の板厚Ｆは１．５ミリに研磨或いは研削で薄くする必要がありコストアップになる。
【００１４】図１０は、図１３の従来のバネ２を面の方向から見た図である。バネ２は、刀身１の板厚より厚い材料を使用する必要があることから、作用部３の巾Ｅはバネ２の固定部の板厚Ｇと同じかそれ以上の巾が必要となる。例えば刀身１の板圧が１．５ミリの場合、バネ２の固定部の板厚Ｇは１．７ミリの材料を使用することになり作用部３の巾Ｅは１．７ミリ以上となる。その為に図１のような極小の折り畳み式ナイフの場合には背金８とバネ２との空間ａが狭くなり、背金８先端に係合凸部１３と刀身の基端部１１の係合凹部１２がスムースに行うことが出来るだけの、背金８とバネ２の動きが出来なくなるのである。
【００１５】本発明の折り畳み式ナイフとは、刀身が２枚の側板によって挟まれ、リベット等で組み付けられた構造で、刀身が開閉又は稼動するナイフのことでありホールデイングナイフ又はポケットナイフのことをいう。
【図面の簡単な説明】
【図１】本発明の折り畳み式ナイフの実物大を示すものである。
【図２】本発明の刀身の開閉状態を示す。
【図３】本発明の図２を下から見たものである。
【図４】本発明のバネを示したものである。
【図５】本発明のバネを横から見た状態を示すものである。
【図６】本発明の刀身の開閉の途中の状態を示すものである．
【図７】従来の折り畳み式ナイフの開閉状態を示す。
【図８】従来の折り畳み式ナイフ図７を下から見たものである。
【図９】従来の折り畳み式ナイフのバネを示したものである。
【図１０】従来の折り畳み式ナイフのバネを横から見た状態を示すものである。
【符号の説明】
１：刀身    ２：バネ    ３：作用部    ４：固定部
５：固定鋲    ６：支点部    ７：支点鋲
８：背金    ９：刀身固定鋲    １０、１０′：側板
１１：刀身の基端部    １２：係合凹部    １３：係合凸部
１４：柄の凹部    １５：背金固定鋲    １６：バネ固定用穴
ａ：背金とバネとの空間
Ａ：本発明のバネ作用部の巾    Ｂ：本発明のバネ固定部の巾
Ｃ：刀身の板厚    Ｄ：本発明のバネの板厚
Ｅ：従来のバネ作用部の巾（板厚）    Ｆ：従来のバネ固定部の巾（板厚）
Ｇ：従来のバネの巾
【図１】
2005111220.tif 000003
【図２】
2005111220.tif 000004
【図３】
2005111220.tif 000005
【図４】
2005111220.tif 000006
【図５】
2005111220.tif 000007
【図６】
2005111220.tif 000008
【図７】
2005111220.tif 000009
【図８】
2005111220.tif 000010
【図９】
2005111220.tif 000011
【図１０】
2005111220.tif 000012